(57)【要約】      （修正有）【課題】ＳＬＯ撮影におけるノイズ光を効果的に除去する眼科撮影装置を提供する。【解決手段】眼科撮影装置は、投射系と、検出系と、画像形成部とを備える。投射系は、被検眼の眼底に走査光を投射する。検出系は、眼底に投射された走査光の戻り光の少なくとも一部である検出光を検出する。画像形成部は、検出系からの出力に基づいて画像を形成する。走査光及び検出光のうちの第１の光は、環形の断面を有する。更に、第１の光の環形断面の内径は、走査光及び検出光のうち第１の光と異なる第２の光の外径よりも大きい。【選択図】図１
2018082833.tif 000002
【特許請求の範囲】
【請求項１】
被検眼の眼底に走査光を投射する投射系と、
前記走査光の戻り光の少なくとも一部である検出光を検出する検出系と、
前記検出系からの出力に基づいて画像を形成する画像形成部と
を含み、
前記走査光及び前記検出光のうちの第１の光は、環形の断面を有し、
前記第１の光の環形断面の内径は、前記走査光及び前記検出光のうち前記第１の光と異なる第２の光の外径よりも大きい
ことを特徴とする眼科撮影装置。
【請求項２】
少なくとも、被検眼の角膜に略共役な位置において、前記第１の光の前記環形断面の内径が前記第２の光の外径よりも大きい
ことを特徴とする請求項１に記載の眼科撮影装置。
【請求項３】
前記投射系の光路と前記検出系の光路とを合成する光路合成部材を含み、
少なくとも前記光路合成部材の位置において、前記第１の光の前記環形断面の内径が前記第２の光の外径よりも大きい
ことを特徴とする請求項１又は２に記載の眼科撮影装置。
【請求項４】
前記第１の光は前記検出光であり、
前記第２の光は前記走査光であり、
前記光路合成部材は、前記投射系の光路及び前記検出系の光路のそれぞれに対して斜設されており、且つ、
前記走査光を反射する第１反射領域と、
前記第１反射領域の周囲に設けられ、前記戻り光の一部を透過させて環形断面の検出光を生成する第１透過領域と
を備える
ことを特徴とする請求項３に記載の眼科撮影装置。
【請求項５】
前記光路合成部材は、前記第１反射領域の周囲に設けられ、前記戻り光の一部を遮断する遮光領域を備え、
前記第１透過領域は、前記遮光領域の周囲に設けられ、前記遮光領域の外縁を内縁とする環形断面の検出光を生成する
ことを特徴とする請求項４に記載の眼科撮影装置。
【請求項６】
前記第１の光は前記検出光であり、
前記第２の光は前記走査光であり、
前記光路合成部材は、前記投射系の光路及び前記検出系の光路のそれぞれに対して斜設されており、且つ、
前記走査光を透過させる第２透過領域と、
前記第２透過領域の周囲に設けられ、前記戻り光の一部を反射して環形断面の検出光を生成する第２反射領域と
を備える
ことを特徴とする請求項３に記載の眼科撮影装置。
【請求項７】
前記第２の光のビームサイズを制限する絞り部材を含む
ことを特徴とする請求項１〜６のいずれかに記載の眼科撮影装置。
【発明の詳細な説明】
【技術分野】
【０００１】
この発明は、眼科撮影装置に関する。
【背景技術】
【０００２】
眼科分野において画像診断は重要な位置を占め、近年では走査型レーザー検眼鏡（ＳＬＯ）の活用が進んでいる。ＳＬＯは、共焦点光学系を利用して微弱なレーザー光で眼底を高速でスキャンすることにより画像を形成する装置であり、眼疾患のスクリーニングや診断に利用されている。
【０００３】
ＳＬＯ画像には、各種のノイズ光に起因するゴースト（フレア）が混入する。ゴーストを生じるノイズ光としては、対物レンズ等の光学素子からの反射光や、角膜等の眼組織からの反射光がある。
【０００４】
ノイズ光を除去するための技術として特許文献１に開示されたものが知られている。特許文献１に開示された発明においては、対物レンズ系１７のレンズ面１７ａと光学的に共役な位置に遮光部材２２を配置することにより、レンズ面１７ａからの反射光が受光素子２５に入射しないようにしている。
【先行技術文献】
【特許文献】
【０００５】
【特許文献１】特開２０１６−２８６８７号公報
【発明の概要】
【発明が解決しようとする課題】
【０００６】
しかしながら、以下に説明するように、特許文献１に開示された技術ではノイズ光を効果的に除去することは難しい。
【０００７】
一般に、眼底を光で走査する眼科装置においては、瞳孔と光学的に共役な位置に光スキャナが配置される。これは、狭い瞳孔を通じて眼底を広く走査するためには、走査の中心を瞳孔に配置する必要があるからである。
【０００８】
実際、特許文献１では、水晶体の前方位置に設定された旋回点Ｐを中心に、走査部１６によるレーザー光が旋回するようになっている。一方、遮光部材２２は、レンズ面１７ａと光学的に共役な位置に配置されており、走査部１６と光学的に共役な位置には配置されていない。したがって、レンズ面１７ａからの反射光は、走査部１６により偏向されることにより、遮光部材２２に到達したときには光軸から（比較的）大きく外れた位置を通過する。そのため、レンズ面１７ａと光学的に共役な位置に遮光部材２２が配置された構成では、レンズ面１７ａからの反射光を効果的に遮断することは難しい。
【０００９】
この発明の目的は、ＳＬＯ撮影におけるノイズ光を効果的に除去することにある。
【課題を解決するための手段】
【００１０】
実施形態に係る眼科撮影装置の第１の態様は、被検眼の眼底に走査光を投射する投射系と、前記走査光の戻り光の少なくとも一部である検出光を検出する検出系と、前記検出系からの出力に基づいて画像を形成する画像形成部とを含み、前記走査光及び前記検出光のうちの第１の光は、環形の断面を有し、前記第１の光の環形断面の内径は、前記走査光及び前記検出光のうち前記第１の光と異なる第２の光の外径よりも大きいことを特徴とする。
実施形態に係る眼科撮影装置の第２の態様において、少なくとも、被検眼の角膜に略共役な位置において、前記第１の光の前記環形断面の内径が前記第２の光の外径よりも大きいことを特徴とする。
実施形態に係る眼科撮影装置の第３の態様において、前記投射系の光路と前記検出系の光路とを合成する光路合成部材を含み、少なくとも前記光路合成部材の位置において、前記第１の光の前記環形断面の内径が前記第２の光の外径よりも大きいことを特徴とする。
実施形態に係る眼科撮影装置の第４の態様において、前記第１の光は前記検出光であり、前記第２の光は前記走査光であり、前記光路合成部材は、前記投射系の光路及び前記検出系の光路のそれぞれに対して斜設されており、且つ、前記走査光を反射する第１反射領域と、前記第１反射領域の周囲に設けられ、前記戻り光の一部を透過させて環形断面の検出光を生成する第１透過領域とを備えることを特徴とする。
実施形態に係る眼科撮影装置の第５の態様において、前記光路合成部材は、前記第１反射領域の周囲に設けられ、前記戻り光の一部を遮断する遮光領域を備え、前記第１透過領域は、前記遮光領域の周囲に設けられ、前記遮光領域の外縁を内縁とする環形断面の検出光を生成することを特徴とする。
実施形態に係る眼科撮影装置の第６の態様において、前記第１の光は前記検出光であり、前記第２の光は前記走査光であり、前記光路合成部材は、前記投射系の光路及び前記検出系の光路のそれぞれに対して斜設されており、且つ、前記走査光を透過させる第２透過領域と、前記第２透過領域の周囲に設けられ、前記戻り光の一部を反射して環形断面の検出光を生成する第２反射領域とを備えることを特徴とする。
実施形態に係る眼科撮影装置の第７の態様において、前記第２の光のビームサイズを制限する絞り部材を含むことを特徴とする。
【発明の効果】
【００１１】
実施形態によれば、ＳＬＯ撮影におけるノイズ光を効果的に除去することができる。
【図面の簡単な説明】
【００１２】
【図１】実施形態に係る眼科撮影装置の構成の一例を示す概略図である。
【図２】実施形態に係る眼科撮影装置の構成の一例を示す概略図である。
【図３】実施形態に係る眼科撮影装置の構成の一例を説明するための概略図である。
【図４】実施形態に係る眼科撮影装置の構成の一例を示す概略図である。
【図５】実施形態に係る眼科撮影装置の構成の一例を示す概略図である。
【図６】実施形態に係る眼科撮影装置の構成の一例を示す概略図である。
【図７】実施形態に係る眼科撮影装置の構成の一例を説明するための概略図である。
【発明を実施するための形態】
【００１３】
眼科撮影装置の例示的な実施形態を以下に説明する。引用文献の内容や公知技術を実施形態に援用することができる。
【００１４】
実施形態に係る眼科撮影装置は、眼底を光ビームでスキャンして画像を形成するＳＬＯである。実施形態に係る眼科撮影装置は、ＳＬＯ機能のみを備えてもよいし、他の機能を更に備えてもよい。他の機能は、任意の撮影機能又は任意の測定機能であってよい。典型的な実施形態において、眼科撮影装置は、ＳＬＯ機能と光コヒーレンストモグラフィ（ＯＣＴ）機能とを備えていてよい。
【００１５】
以下、特に明記しない限り、対物レンズの光軸に沿う方向をＺ方向とし、これに直交する所定方向をＸ方向とし、Ｘ方向及びＺ方向の双方に直交する方向をＹ方向とする。典型的には、被検者を基準とした左右方向をＸ方向とし、上下方向をＹ方向とすることができる。Ｘ方向、Ｙ方向及びＺ方向は、３次元直交座標系を定義する。
【００１６】
〈第１実施形態〉
例示的な実施形態に係る眼科撮影装置の構成を図１〜図４に示す。図１は、光学系の例を表す。図２は、投射系の光路と検出系の光路とを合成する光学素子（光路合成部材５）の例を表す。図３は、光路合成部材５における光ビームの状態の例を表す。図４は、処理系の例を表す。
【００１７】
＜光学系＞
図１に示す光学系は、被検眼Ｅの眼底Ｅｆを光ビームでスキャンしてデータを収集する。そのために、光学系は、スキャンのための光ビーム（走査光）を眼底Ｅｆに投射する投射系と、眼底Ｅｆに投射された光ビームの戻り光を検出する検出系とを含む。検出系からの出力（つまり、光学系により収集されたデータ）に基づいて眼底Ｅｆの画像が構築される。
【００１８】
他の実施形態においては、このようなＳＬＯ光学系に加えて、ＯＣＴスキャンを行うためのＯＣＴ光学系や、前眼部を観察・撮影するための前眼部撮影系や、眼底Ｅｆに固視標を投影する固視系や、アライメント指標やフォーカス指標を投影する指標投影系などが設けられていてもよい。Ｘ方向、Ｙ方向及びＺ方向に光学系を移動可能であってよい。それにより、光学系のアライメントやトラッキングを行うことができる。
【００１９】
図１に概略を示す光学系において、投射系は、第１光源１Ａと、第１コリメートレンズ２Ａと、第２光源１Ｂと、第２コリメートレンズ２Ｂと、ダイクロイックミラー（又はハーフミラー等）４と、光路合成部材５と、レンズ６と、反射ミラー７と、レンズ８と、光スキャナ９と、リレーレンズ１０と、対物レンズ１１とを含む。
【００２０】
第１光源１Ａ及び／又は第２光源１Ｂは、投射系（眼科撮影装置）に含まれない外部光源であってもよい。この場合、例えば、第１光源１Ａ（又は第２光源１Ｂ）により発生された光は、図示しない光ファイバを通じて投射系に導かれる。第１コリメートレンズ２Ａ及び第２コリメートレンズ２Ｂについても同様に、投射系の外部に設けられてもよい。
【００２１】
光源の個数は２つに限定されず、１以上の任意の個数であってよい。また、光源から出力される光の波長も任意である。例えば、光源は、任意の波長帯の赤外光源、及び、任意の波長帯の可視光源の少なくとも一方を含んでよい。
【００２２】
一例において、第１光源１Ａは、波長５３２ｎｍの光を出力する可視光源であり、第２光源１Ｂは、波長８００ｎｍの光を出力する近赤外光源である。第１光源１Ａ及び第２光源１Ｂのそれぞれは、例えば、レーザーダイオード、スーパールミネッセントダイオード、又は、レーザードリブンライトソース等を含む。アライメントが好適な状態において、第１光源１Ａ及び第２光源１Ｂのそれぞれは、眼底Ｅｆに対して光学的に共役な位置（又はその近傍）に配置される。
【００２３】
第１コリメートレンズ２Ａは、第１光源１Ａから出力された光を平行光束にする。第１コリメートレンズ２Ａにより生成された平行光束は、所定のビームサイズを有する。ビームサイズとは、平行光束の断面のサイズを表す任意のパラメータであり、例えば、ビームの径又は断面積であってよい。第１コリメートレンズ２Ａにより生成された平行光束は、ダイクロイックミラー４に導かれる。第１光源１Ａからダイクロイックミラー４までの光路（第１走査光路）を符号ＯＰ１で示す。第１走査光路ＯＰ１に、第１コリメートレンズ２Ａにより生成された平行光束のビームサイズを制限するための絞り部材が設けられていてもよい（第２実施形態として説明する例を参照）。
【００２４】
同様に、第２コリメートレンズ２Ｂは、第２光源１Ｂから出力された光を平行光束にする。第２コリメートレンズ２Ａにより生成された平行光束は、所定のビームサイズを有する。第２コリメートレンズ２Ａにより生成された平行光束は、ダイクロイックミラー４に導かれる。第２光源１Ｂからダイクロイックミラー４までの光路（第２走査光路）を符号ＯＰ２で示す。第２走査光路ＯＰ２に、第２コリメートレンズ２Ｂにより生成された平行光束のビームサイズを制限するための絞り部材が設けられていてもよい。
【００２５】
ダイクロイックミラー４は、第１走査光路ＯＰ１と第２走査光路ＯＰ２とを合成する。換言すると、ダイクロイックミラー４は、第１走査光路ＯＰ１から入射する光（走査光）を透過させ、第２走査光路ＯＰ２から入射する光（走査光）を反射する。逆に、第１走査光路ＯＰ１から入射する走査光を反射し、第２走査光路ＯＰ２から入射する走査光を透過するようなダイクロイックミラー（又はハーフミラー等）を用いた構成を適用することもできる。ダイクロイックミラー４と光路合成部材５との間の光路（つまり、ダイクロイックミラー４により形成される第１走査光路ＯＰ１と第２走査光路ＯＰ２との合成光路）を走査光路ＯＰ３と呼ぶ。
【００２６】
本例では、ダイクロイックミラー４は、第１走査光路ＯＰ１の光軸と第２走査光路ＯＰ２の光軸とを合成する。換言すると、ダイクロイックミラー４は、第１走査光路ＯＰ１と第２走査光路ＯＰ２とを同軸で合成する。第１コリメートレンズ２Ａにより生成された平行光束は、第１走査光路ＯＰ１の光軸上及びその近傍を進行し、ダイクロイックミラー４を透過し、走査光路ＯＰ３の光軸上及びその近傍を進行して光路合成部材５に投射される。同様に、第２コリメートレンズ２Ｂにより生成された平行光束は、第２走査光路ＯＰ２の光軸上及びその近傍を進行し、ダイクロイックミラー４により反射され、走査光路ＯＰ３の光軸上及びその近傍を進行して光路合成部材５に投射される。
【００２７】
光路合成部材５は、投射系の光路と検出系の光路とを合成する。本例では、光路合成部材５は、走査光路ＯＰ３と後述の検出光路ＯＰ５とを合成する。光路合成部材５は、走査光路ＯＰ３から入射する走査光を反射して、被検眼Ｅに向かう光路ＯＰ４に入射させる。更に、光路合成部材５は、光路ＯＰ４から入射する戻り光の一部を透過させて、検出光路ＯＰ５に入射させる。このような光路合成部材５の例を図２に示す。なお、他の実施形態において、光路合成部材は、走査光を透過させ、且つ、その戻り光を反射するように構成及び／又は配置されてもよい。
【００２８】
図２に示す光路合成部材５は、透過部５ａと反射部５ｂと遮光部５ｃとを備える。反射部５ｂは、円形の外縁を有する円板状の領域である。反射部５ｂは、走査光路ＯＰ３から入射する走査光を反射して光路ＯＰ４に入射させる。遮光部５ｃは、反射部５ｂの周囲に設けられている。遮光部５ｃは、光路ＯＰ４から入射する戻り光の一部を遮断する。遮光部５ｃは、環形の遮光領域であり、その内縁が反射部５ｂの外縁と共通である。透過部５ａは、遮光部５ｃの周囲に設けられている。透過部５ａは、光路ＯＰ４から入射する戻り光の一部を透過させて環形断面の検出光を生成する。本例において、透過部５ａの内縁は、遮光部５ｃの外縁と共通である。
【００２９】
本例の反射部５ｂは円板状に形成されているが、他の形状であってもよい。また、本例の遮光部５ｃは環形に形成されているが、他の形状であってもよい。
【００３０】
図１に示すように光路合成部材５が配置されている場合、走査光路ＯＰ３、光路ＯＰ４及び検出光路ＯＰ５の少なくともいずれかに対する光路合成部材５の傾斜角度に応じて、反射部５ｂの形状を決定することができる。例えば、走査光路ＯＰ３、光路ＯＰ４及び検出光路ＯＰ５に沿う方向から見たときに、反射部５ｂの見かけの輪郭が円形になるように、反射部５ｂを楕円板状に形成することができる。遮光部５ｃの形状についても同様にして決定することができる。
【００３１】
反射部５ｂは、走査光路ＯＰ３から入射する走査光を反射して被検眼Ｅに導く。反射部５ｂは、例えば、反射ミラーであり、又は、光反射作用を有する薄膜若しくはコーティング等であってよい。反射部５ｂの中心（又は重心等の代表点）は、実質的に、走査光路ＯＰ３の光軸上、光路ＯＰ４の光軸上、且つ、検出光路ＯＰ５の光軸上に配置される。反射部５ｂは、例えば、走査光のビーム断面の全体を反射できるようなサイズに設計される。典型的には、図３に示すように、走査光のビーム断面Ｒ１は、光路合成部材５の反射部５ｂの内部に投影される。このように、走査光路ＯＰ３の光軸上及びその近傍を進行する走査光は、光路合成部材５により反射され、光路ＯＰ４の光軸上及びその近傍を進行する。
【００３２】
遮光部５ｃは、反射部５ｂの周囲に設けられており、光路ＯＰ４から入射する戻り光の一部を遮断する。本例では、光路ＯＰ４の光軸及びその近傍を進行する光が、遮光部５ｃによって遮断される。なお、光路合成部材５により遮断される戻り光の成分は、反射部５ｂ及び遮光部５ｃに投射された成分である。遮光部５ｃは、例えば、光吸収作用又は光反射作用等の不透過作用を有する薄膜若しくはコーティング等であってよい。典型的には、遮光部５ｃは、黒色の領域である。本例の遮光部５ｃは、円板状の反射部５ｂの周囲に同心的に設けられた環形領域であるが、これに限定されない。例えば、反射部５ｂ及び遮光部５ｃの形状はこれら以外でもよいし、反射部５ｂと遮光部５ｃとは非同心的であってもよい。
【００３３】
透過部５ａは、遮光部５ｃの周囲に設けられており、光路ＯＰ４から入射する戻り光の一部を、検出系の光検出器１６Ａ、１６Ｂ（後述）に導くために透過させる。透過部５ａは、例えば、透光性を有する材料で形成され、又は、開口として形成されてよい。戻り光には、光学素子からの反射光や眼組織からの反射光等のノイズ光が混入している。このようなノイズ光は、光路ＯＰ４の光軸上及びその近傍を進行する。このノイズ光の少なくとも一部が十分に遮断されるように、遮光部５ｃ（及び反射部５ｂ）のサイズを設計することができる。また、図３に示す符号Ｒ２は、戻り光が投影される領域（戻り光のビーム断面）の外縁の典型例を表す。戻り光の投影領域の外縁Ｒ２は円形には限定されない。一般に、戻り光の投影領域の外縁Ｒ２は、走査光のビーム断面形状、被検眼Ｅ、光学系等の各種条件に応じた不定的な形状である。
【００３４】
典型的には、光路合成部材５は、ガラスや合成樹脂等からなる透明な基板に、反射部５ｂとして機能する薄膜等、遮光部５ｃとして機能する薄膜等を形成することによって作成された部材であってよい。他の例において、光路合成部材５は、反射部５ｂとして機能する反射部材と、遮光部５ｃとして機能する遮光部材と、透過部５ａとして機能する透光部材とを組み合わせることによって作成された部材であってよい。或いは、これら３つの機能のいずれか２つを有する部材と、他の１つの機能を有する部材とを組み合わせることによって、光路合成部材５を作成することも可能である。なお、ここに説明した構成は例示であり、光路合成部材５は、投射系の光路と検出系の光路とを合成可能な任意の構成を備えていてよい。
【００３５】
以上のように、本例の光路合成部材５は、投射系の光路（走査光路ＯＰ３を含む）及び検出系の光路（検出光路ＯＰ５を含む）のそれぞれに対して斜設されており、少なくとも反射部５ｂと透過部５ａとを備えている。反射部５ｂは、走査光を反射する。透過部５ａは、反射部５ｂの周囲に設けられ、被検眼Ｅに投射された走査光の戻り光の一部を透過させて環形断面の検出光を生成する。更に、本例の光路合成部材５は、反射部５ｂの周囲（且つ、透過部５ａの内側）に設けられ、戻り光の一部を遮断する遮光部５ｃを備える。よって、光路ＯＰ４から光路合成部材５に投射された戻り光のうち、反射部５ｂ又は遮光部５ｃに投射された成分は、検出光路ＯＰ５に入射せず、透過部５ａに投射された成分のみが検出光路ＯＰ５に入射する。
【００３６】
それにより、少なくとも光路合成部材５の位置（例えば、反射部５ｂが設けられた面の位置）において、透過部５ａにより生成された環形断面の内径が、反射部５ｂにより反射された走査光の外径よりも大きくなる。
【００３７】
被検眼Ｅの角膜に対して光学的に共役な位置（又はその近傍）に光路合成部材５を配置することができる。それにより、対物レンズ１１からの反射と並ぶ代表的なノイズ光である角膜からの反射を効果的に除去することができる。この場合、少なくとも、被検眼Ｅの角膜に略共役な位置（例えば、反射部５ｂが設けられた面の位置）において、透過部５ａにより生成された環形断面の内径が、反射部５ｂにより反射された走査光の外径よりも大きくなる。
【００３８】
前述したように、他の実施形態において、投射系の光路と検出系の光路とを合成する光路合成部材は、走査光を透過させ、且つ、戻り光を反射するよう構成されてよい。この場合、例えば、図２において符号５ｂ及び５ｃで示す領域が透過部として構成され、且つ、符号５ａで示す領域が反射部として構成された光路合成部材を用いることが可能である。このような光学部材は、一般的な眼底カメラにおいて照明光学系と撮影光学系とを合成するために用いられる穴開きミラーとして知られている。
【００３９】
光路合成部材５として穴開きミラーが用いられる場合、この穴開きミラーは、投射系の光路及び検出系の光路のそれぞれに対して斜設される。更に、穴開きミラーは、走査光を透過させる透過部と、この透過部の周囲に設けられ、戻り光の一部を反射して環形断面の検出光を生成する反射部とを備える。それにより、少なくとも穴開きミラーの位置（例えば、反射部が設けられた面の位置）において、反射部により生成された環形断面の内径が、透過部を通過する走査光の外径よりも大きくなる。被検眼の角膜に対して光学的に共役な位置（又はその近傍）に穴開きミラーが配置される場合、少なくとも、被検眼の角膜に略共役な位置（例えば、反射部が設けられた面の位置）において、反射部により生成された環形断面の内径が、透過部を通過する走査光の外径よりも大きくなる。
【００４０】
光路合成部材５（又は穴開きミラー）を経由して光路ＯＰ４に入射した走査光（平行光束）は、レンズ６により収束光となり、反射ミラー７により反射され、レンズ８により屈折され、光スキャナ９に導かれる。
【００４１】
光スキャナ９は、走査光を２次元的に偏向する。例えば、光スキャナ９は、Ｘ方向に光を偏向する第１光スキャナと、Ｙ方向に光を偏向する第２光スキャナとを含む。典型的には、第１光スキャナ及び第２光スキャナの一方は低速スキャナ（ガルバノミラー等）であり、他方は高速スキャナ（レゾナントミラー、ポリゴンミラー、ＭＥＭＳミラー等）である。アライメントが好適な状態において、光スキャナ９（例えば、第１光スキャナの反射面、第２光スキャナの反射面、又は、第１光スキャナと第２光スキャナとの間の所定位置）は、被検眼Ｅの瞳孔に対して光学的に共役な位置（又はその近傍）に配置される。それにより、被検眼Ｅの瞳孔内の点（又はその近傍）を中心に走査光を振ることができ、眼底Ｅｆの広い範囲をスキャンすることが可能になる。
【００４２】
光スキャナ９を経由した走査光は、リレーレンズ１０により屈折され、対物レンズ１１によって被検眼Ｅに結像される。アライメントが好適である場合、走査光は、例えば、眼底Ｅｆの表面に結像される。また、光路ＯＰ４の光軸に沿った方向に対物レンズ１１を移動することにより、投射系及び検出系のフォーカス調整（及び視度補正）を行うことができる。なお、フォーカス調整を行うための専用のレンズを設けることもできる。
【００４３】
走査光は、眼底Ｅｆにおいて反射、散乱される。被検眼Ｅから出射した光には、眼底Ｅｆの表面からの反射光だけでなく、眼底Ｅｆにおける散乱光、水晶体からの反射光、角膜表面からの反射光などが含まれる。被検眼Ｅから出射した光には、例えば、対物レンズ１１の後面（リレーレンズ１０側の面）で反射された走査光の一部が更に混入する。このような戻り光は、走査光とは逆向きに光路ＯＰ４を進行し、光路合成部材５に導かれる。
【００４４】
光路合成部材５に投射された戻り光の一部は、透過部５ａを透過して検出光路ＯＰ５に入射する。光路ＯＰ４の光軸上及びその近傍を進行する光は、ノイズ光（水晶体、角膜、対物レンズ１１等からの反射光など）を含むが、反射部５ｂ及び遮光部５ｃによって遮断され、検出光路ＯＰ５に入射しない。つまり、戻り光に含まれるノイズ光（の少なくとも一部）が光路合成部材５によって除去される。
【００４５】
検出光路ＯＰ５に入射した戻り光は、ダイクロイックミラー（又はハーフミラー等）１２に投射される。ダイクロイックミラー１２は、検出光路ＯＰ５を第１検出光路ＯＰ６と第２検出光路ＯＰ７とに分割する。第１走査光路ＯＰ１からの走査光で眼底Ｅｆを走査する場合、その戻り光はダイクロイックミラー１２を透過して第１検出光路ＯＰ６に入射する。他方、第２走査光路ＯＰ２からの走査光で眼底Ｅｆを走査する場合、その戻り光はダイクロイックミラー１２により反射されて第２検出光路ＯＰ７に入射する。
【００４６】
第１検出光路ＯＰ６に入射した戻り光は、第１集光レンズ１４Ａにより屈折されて、第１共焦点絞り１５Ａに投射される。アライメントが好適な状態において、第１共焦点絞り１５Ａは、眼底Ｅｆに対して光学的に共役な位置（又はその近傍）に配置される。第１共焦点絞り１５Ａは、戻り光に含まれるノイズ光（眼底散乱光等）の少なくとも一部を遮断し、眼底Ｅｆの表面からの反射光を選択的に通過させるように作用する。
【００４７】
第１共焦点絞り１５Ａを通過した戻り光は、第１光検出器１６Ａによって検出される。第１光検出器１６Ａは、例えば、アバランシェフォトダイオード又は光電子増倍管を含む。
【００４８】
一方、第２検出光路ＯＰ７に入射した戻り光は、第２集光レンズ１４Ｂにより屈折されて、第２共焦点絞り１５Ｂに投射される。アライメントが好適な状態において、第２共焦点絞り１５Ｂは、眼底Ｅｆに対して光学的に共役な位置（又はその近傍）に配置される。第２共焦点絞り１５Ｂは、戻り光に含まれるノイズ光（眼底散乱光等）の少なくとも一部を遮断し、眼底Ｅｆの表面からの反射光を選択的に通過させるように作用する。
【００４９】
第２共焦点絞り１５Ｂを通過した戻り光は、第２光検出器１６Ｂによって検出される。第２光検出器１６Ｂは、例えば、アバランシェフォトダイオード又は光電子増倍管を含む。
【００５０】
本例において、検出系は、対物レンズ１１と、リレーレンズ１０と、光スキャナ９と、レンズ８と、反射ミラー７と、レンズ６と、光路合成部材５と、ダイクロイックミラー１２と、第１集光レンズ１４Ａと、第１共焦点絞り１５Ａと、第１光検出器１６Ａと、第２集光レンズ１４Ｂと、第２共焦点絞り１５Ｂと、第２光検出器１６Ｂとを含む。
【００５１】
＜処理系＞
実施形態に係る眼科撮影装置の処理系の構成例を図４に示す。処理系は、各種の処理（信号処理、画像処理、演算、制御、記憶等）を実行するための１以上のプロセッサを含む。
【００５２】
なお、「プロセッサ」は、例えば、ＣＰＵ（Ｃｅｎｔｒａｌ  Ｐｒｏｃｅｓｓｉｎｇ  Ｕｎｉｔ）、ＧＰＵ（Ｇｒａｐｈｉｃｓ  Ｐｒｏｃｅｓｓｉｎｇ  Ｕｎｉｔ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、プログラマブル論理デバイス（例えば、ＳＰＬＤ（Ｓｉｍｐｌｅ  Ｐｒｏｇｒａｍｍａｂｌｅ  Ｌｏｇｉｃ  Ｄｅｖｉｃｅ）、ＣＰＬＤ（Ｃｏｍｐｌｅｘ  Ｐｒｏｇｒａｍｍａｂｌｅ  Ｌｏｇｉｃ  Ｄｅｖｉｃｅ）、ＦＰＧＡ（Ｆｉｅｌｄ  Ｐｒｏｇｒａｍｍａｂｌｅ  Ｇａｔｅ  Ａｒｒａｙ））等の回路を意味する。プロセッサは、例えば、記憶回路や記憶装置に格納されているコンピュータプログラムを読み出し実行することで、実施形態に係る機能を実現する。
【００５３】
実施形態に係る眼科撮影装置の処理系は、第１光源１Ａ、第２光源１Ｂ、光スキャナ９、第１光検出器１６Ａ、第２光検出器１６Ｂなど、図１に示す光学系に含まれる要素の一部を含む。更に、処理系は、制御部１００と、画像形成部１１０と、データ処理部１２０と、ユーザインターフェイス部１３０とを含む。
【００５４】
＜制御部１００＞
制御部１００は、眼科撮影装置の各部を制御するための構成を備える。制御部１００は、主制御部１０１と、記憶部１０２とを含む。主制御部１０１の機能は、１以上のプロセッサ等によって実現される。記憶部１０２には、各種のデータ、各種の情報、各種のコンピュータプログラムなどが記憶される。記憶部１０２は、半導体メモリ、磁気記憶装置などを含む。
【００５５】
眼科撮影装置が実行する処理は、ハードウェア資源（プロセッサ等）とソフトウェア（コンピュータプログラム等）との協働によって実現される。また、眼科撮影装置に設けられた各種の機構の少なくとも一部にはアクチュエータがそれぞれ設けられている。主制御部１０１は、それぞれのアクチュエータに向けて制御信号を送る。
【００５６】
＜主制御部１０１＞
主制御部１０１は、プロセッサを含み、各種の制御信号の生成及び送信を行う。それにより、眼科撮影装置の各部が制御される。例えば、主制御部１０１は、第１光源１Ａ、第２光源１Ｂ、光スキャナ９、第１光検出器１６Ａ、第２光検出器１６Ｂ等を制御する。
【００５７】
第１光源１Ａ及び第２光源１Ｂの制御には、点灯、消灯、光量調整などが含まれる。光スキャナ９の制御には、走査位置の制御、走査範囲の制御、走査パターンの制御、走査速度の制御などが含まれる。第１光検出器１６Ａ及び第２光検出器１６Ｂの制御には、露光調整、ゲイン調整、検出レート（検出反復周波数）調整などが含まれる。
【００５８】
図示は省略するが、眼科撮影装置は、Ｘ方向、Ｙ方向及びＺ方向に光学系を移動するための光学系移動機構を備えていてよい。光学系移動機構の制御は、アライメント等において実行される。
【００５９】
ＳＬＯ撮影を行うとき、主制御部１０１は、第１光源１Ａ（又は第２光源１Ｂ）を所定のタイミングで点灯（点滅）させつつ、所定の走査パターン（例えばラスタースキャン）にしたがって光スキャナ９を制御する。
【００６０】
＜記憶部１０２＞
記憶部１０２には、眼科撮影装置により利用される情報、データ、コンピュータプログラム等が記憶される。また、記憶部１０２には、眼科撮影装置により取得されたデータや、外部から取得したデータが格納される。
【００６１】
＜画像形成部１１０＞
画像形成部１１０は、光学系を用いて収集されたデータに基づいて眼底Ｅｆの画像を形成する。より具体的には、画像形成部１１０は、従来のＳＬＯと同様に、第１光検出器１６Ａ（又は第２光検出器１６Ｂ）から入力される検出信号と、制御部１００から入力される画素位置信号とに基づいて、画像を形成する。
【００６２】
＜データ処理部１２０＞
データ処理部１２０は、各種のデータ処理を実行する。データ処理の例として、画像形成部１１０又は他の装置により形成された画像データに対する処理がある。この処理の例として、各種の画像処理や、画像に対する解析処理や、画像データに基づく画像評価などの診断支援処理がある。
【００６３】
＜ユーザインターフェイス部１３０＞
ユーザインターフェイス（ＵＩ）部１３０は、ユーザと眼科撮影装置との間で情報のやりとりを行うための機能を備える。ユーザインターフェイス部１３０は、表示デバイスと操作デバイス（入力デバイス）とを含む。表示デバイスは、例えば液晶ディスプレイ（ＬＣＤ）を含む。操作デバイスは、各種のハードウェアキー及び／又はソフトウェアキーを含む。制御部１００は、操作デバイスに対する操作内容を受け、この操作内容に対応した制御信号を各部に出力する。操作デバイスの少なくとも一部と表示デバイスの少なくとも一部とを一体的に構成することが可能である。タッチパネルディスプレイはその一例である。
【００６４】
＜作用・効果＞
実施形態に係る眼科撮影装置が奏する作用及び効果について、幾つかの例を説明する。
【００６５】
実施形態に係る眼科撮影装置は、投射系と、検出系と、画像形成部とを含む。投射系は、被検眼の眼底に走査光を投射する。走査光は、眼底の複数の位置におけるデータを取得するための走査に用いられる光である。検出系は、眼底に投射された走査光の戻り光の少なくとも一部である検出光を検出する。上記の例示的な実施形態では、光路合成部材５を透過して検出光路ＯＰ４に入射した光が検出光である。画像形成部は、検出系からの出力に基づいて画像を形成する。
【００６６】
更に、実施形態において、走査光及び検出光のうちの第１の光（上記の例示的な実施形態では、検出光）は、環形の断面を有する。ここで、「環形」には、２つの同心円に囲まれた領域の形状だけでなく、これに類似する形状も含まれるものとする。実施形態における「環形」は、一方が他方の内部に位置する２つの閉曲線を境界とする領域の形状であってよい。内側の閉曲線は環形の「内縁」であり、外側の閉曲線は環形の「外縁」である。上記の例示的な実施形態では、環形の内縁は、透過部５ａの内縁（つまり、遮光部５ｃの外縁）によって規定される。また、環形の外縁は、走査光のビーム断面形状（ビーム断面の外縁の形状）、被検眼の向きや特性、光学系に含まれる光学素子の特性等、各種の条件によって規定される。一般に、環形の外縁の形状は不定である。
【００６７】
加えて、実施形態において、走査光及び検出光のうち第１の光と異なる第２の光（上記の例示的な実施形態では、走査光）の外径は、第１の光の環形断面の内径よりも小さい。換言すると、第１の光の環形断面の内径は、第２の光の外径よりも大きい。ここで、「外径」は、ビーム断面の外縁（その形状は任意である）のサイズを表す任意のパラメータであってよい。例えば、ビーム断面の外縁が円形である場合、又は、ビーム断面の外縁の形状を円近似できる場合、「外径」は直径、半径、周長等であってよい。ビーム断面の外縁が楕円形である場合、又は、ビーム断面の外縁の形状を楕円近似できる場合、「外径」は長径、短径、周長等であってよい。ビーム断面の外縁がこれら以外の任意形状である場合、「外径」は、最大径、最小径、平均径、周長等であってよい。「内径」は、環形断面を有する第１の光について定義可能であり、環形断面の内縁のサイズを表す任意のパラメータであってよい。このような外縁及び内縁の定義に関わらず、第１の光と第２の光とが上記の関係を有していればよい。
【００６８】
実施形態において、少なくとも、被検眼の角膜に略共役な位置において、第１の光の環形断面の内径が第２の光の外径よりも大きくなるような構成を適用することができる。このように構成することで、被検眼の角膜に起因するノイズ光を効果的に除去することが可能となる。
【００６９】
実施形態において、眼科撮影装置は、投射系の光路と検出系の光路とを合成する光路合成部材を含んでいてよい。この場合、少なくとも光路合成部材の位置において、第１の光の環形断面の内径が第２の光の外径よりも大きくなるような構成を適用することができる。
【００７０】
実施形態において、環形の第１の光が検出光であり、第２の光が走査光である場合、次のような構成を適用することができる。まず、光路合成部材は、投射系の光路及び検出系の光路のそれぞれに対して斜設される。つまり、光路合成部材の機能面（反射面、透過面、遮光面等）は、投射系の光軸及び検出系の光軸のそれぞれに対して直角以外の角度を成すように配置されている。投射系の光軸に対する角度と検出系の光軸に対する角度とは、等しくてもよいし、異なってもよい。典型的な実施形態では、双方の角度が４５度に設定される。更に、本例の光路合成部材は、第１反射領域と第１透過領域とを備える。第１反射領域は、入射した走査光を反射する。第１透過領域は、第１反射領域の周囲に設けられ、戻り光の一部を透過させて環形断面の検出光を生成する。上記の例示的な実施形態では、反射部５ｂが第１反射領域に相当し、透過部５ａが第１透過領域に相当する。
【００７１】
更に、光路合成部材は、第１反射領域の周囲に設けられ、戻り光の一部を遮断する遮光領域を備えていてよい。この場合、第１透過領域は、遮光領域の周囲に設けられ、遮光領域の外縁を内縁とする環形断面の検出光を生成するように構成されてよい。上記の例示的な実施形態では、反射部５ｂが第１反射領域に相当し、透過部５ａが第１透過領域に相当し、遮光部５ｃが遮光領域に相当する。
【００７２】
実施形態において、第１の光が検出光であり、第２の光が走査光である場合、次のような構成を適用することができる。まず、光路合成部材は、投射系の光路及び検出系の光路のそれぞれに対して斜設される。更に、本例の光路合成部材は、第２透過領域と第２反射領域とを備える。第２透過領域は、入射した走査光を透過させる。第２反射領域は、第２透過領域の周囲に設けられ、戻り光の一部を反射して環形断面の検出光を生成する。上記の例示的な実施形態では、穴開きミラーが光路合成部材に相当し、その中央領域に設けられた透過部が第２透過領域に相当し、この透過部の周囲に設けられた反射部が第２反射領域に相当する。
【００７３】
実施形態において、第２の光のビームサイズを制限する絞り部材が設けられていてもよい。例えば、上記の例示的な実施形態において、第１コリメートレンズ２Ａとダイクロイックミラー４との間に絞り部材を配置することができ、及び／又は、第２コリメートレンズ２Ｂとダイクロイックミラー４との間に絞り部材を配置することができる。
【００７４】
以上のような実施形態のいずれかによれば、被検眼に投射される走査光と、光検出器に導かれる検出光との間に間隔（余裕）が設けられる。したがって、光軸上やその近傍を通過するノイズ光だけでなく、光軸から（比較的大きく）外れた位置を通過するノイズ光をも光路合成部材によって効果的に除去することができる。
【００７５】
〈第２実施形態〉
他の例示的の実施形態について説明する。本実施形態に係る眼科撮影装置は、第２の光のビームサイズを制限する絞り部材と、遮光領域を備えない光路合成部材とを含む。そのような構成の例を図５〜図７に示す。図５は、光学系の例を表す。図６は、投射系の光路と検出系の光路とを合成する光学素子（光路合成部材５１）の例を表す。図７は、光路合成部材５１における光ビームの状態の例を表す。処理系については、第１の実施形態と同様であってよい（図４を参照）。特に言及しない限り、第１実施形態と同様の要素には同じ符号が割り当てられ、その説明は省略される。
【００７６】
図５に概略を示す光学系において、投射系は、第１光源１Ａと、第１コリメートレンズ２Ａと、第１絞り３Ａと、第２光源１Ｂと、第２コリメートレンズ２Ｂと、第２絞り３Ｂと、ダイクロイックミラー（又はハーフミラー等）４と、光路合成部材５１と、レンズ６と、反射ミラー７と、レンズ８と、光スキャナ９と、リレーレンズ１０と、対物レンズ１１とを含む。
【００７７】
第１実施形態との相違は、第１絞り３Ａ及び第２絞り３Ｂが設けられていること、並びに、第１実施形態にて例示した光路合成部材５とは異なる構成の光路合成部材５１が設けられていることである。
【００７８】
第１絞り３Ａは、第１コリメートレンズ２Ａにより生成された平行光束のビームサイズを制限する。第１絞り３Ａの開口を通過した光は、ダイクロイックミラー４に導かれる。同様に、第２絞り３Ｂは、第２コリメートレンズ２Ａにより生成された平行光束のビームサイズを制限する。第２絞り３Ｂの開口を通過した光は、ダイクロイックミラー４に導かれる。
【００７９】
光路合成部材５１は、投射系の光路と検出系の光路とを合成する。本例では、光路合成部材５１は、走査光路ＯＰ３と後述の検出光路ＯＰ５とを合成する。光路合成部材５１は、走査光路ＯＰ３から入射する走査光を反射して、被検眼Ｅに向かう光路ＯＰ４に入射させる。更に、光路合成部材５１は、光路ＯＰ４から入射する戻り光の一部を透過させて、検出光路ＯＰ５に入射させる。このような光路合成部材５１の例を図６に示す。なお、他の実施形態において、光路合成部材は、走査光を透過させ、且つ、戻り光を反射するように構成及び／又は配置されてもよい。
【００８０】
図６に示す光路合成部材５１は、透過部５１ａと反射部５１ｂとを備える。本例において、反射部５１ｂは円板状に形成されているが、これらは他の形状であってもよい。図５に示すように光路合成部材５１が配置されている場合、走査光路ＯＰ３、光路ＯＰ４及び検出光路ＯＰ５の少なくともいずれかに対する光路合成部材５１の傾斜角度に応じて、反射部５１ｂの形状を決定することができる。例えば、走査光路ＯＰ３、光路ＯＰ４及び検出光路ＯＰ５に沿う方向から見たときに、反射部５１ｂの見かけの輪郭が円形になるように、反射部５１ｂを楕円板状に形成することができる。
【００８１】
反射部５１ｂは、走査光路ＯＰ３から入射する走査光を反射して被検眼Ｅに導く。反射部５１ｂは、例えば、反射ミラーであり、又は、光反射作用を有する薄膜若しくはコーティング等であってよい。反射部５１ｂの中心（又は重心等）は、実質的に、走査光路ＯＰ３の光軸上、光路ＯＰ４の光軸上、且つ、検出光路ＯＰ５の光軸上に配置される。反射部５１ｂは、例えば、走査光のビーム断面の全体を反射できるようなサイズに設計される。典型的には、図７に示すように、第１絞り３Ａ又は第２絞り３Ｂによって規定される走査光のビーム断面Ｔ１は、光路合成部材５１の反射部５１ｂの内部に投影される。このように、走査光路ＯＰ３の光軸上及びその近傍を進行する走査光は、光路合成部材５１により反射され、光路ＯＰ４の光軸上及びその近傍を進行する。
【００８２】
透過部５１ａは、反射部５１ｂの周囲に設けられており、光路ＯＰ４から入射する被検眼Ｅからの戻り光を、検出系の光検出器１６Ａ、１６Ｂ（後述）に導くために透過させる。透過部５１ａは、例えば、透光性を有する材料で形成され、又は、開口として形成されてよい。被検眼Ｅからの戻り光には、光学素子からの反射光や眼組織からの反射光等のノイズ光が混入しており、ノイズ光は光路ＯＰ４の光軸上及びその近傍を進行する。このノイズ光の少なくとも一部が十分に遮蔽されるように、反射部５１ｂのサイズを設計することができる。また、図７に示す符号Ｔ２は、光路ＯＰ４から入射する戻り光が投影される領域（戻り光のビーム断面）の輪郭の典型例を表す。
【００８３】
典型的には、光路合成部材５１は、ガラスや合成樹脂等からなる透明な基板に、反射部５１ｂとして機能する薄膜等を形成することによって作成された部材であってよい。他の例において、光路合成部材５１は、反射部５１ｂとして機能する反射部材と、透過部５１ａとして機能する透光部材とを組み合わせることによって作成された部材であってよい。なお、これらは例示であり、光路合成部材５１は、投射系の光路と検出系の光路とを合成可能な任意の構成を備えていてよい。
【００８４】
このように、光路合成部材５１は、第１絞り３Ａ（又は第２絞り３Ｂ）を通過した走査光のビームサイズよりも大きい反射部５１ｂを備える。反射部５１ｂは、第１絞り３Ａ（又は第２絞り３Ｂ）を通過した走査光を光スキャナ９に向かう光路ＯＰ４に入射させる。更に、光路合成部材５１は、反射部５１ｂの周囲に設けられた透過部５１ａを備える。透過部５１ａは、被検眼Ｅからの戻り光の一部を第１光検出器１６Ａ（又は第２光検出器１６Ｂ）に向かう光路（検出光路ＯＰ５）に入射させる。
【００８５】
換言すると、光路合成部材５１の反射部５１ｂは、第１絞り３Ａ（又は第２絞り３Ｂ）を通過した走査光が投射される領域（図７において符号Ｔ１で表す領域）を含み、且つ、この投射領域（Ｔ１）よりも大きい。
【００８６】
具体的には、光路合成部材５１は、投射系の光路（走査光路ＯＰ３）及び検出系の光路（検出光路ＯＰ５）のそれぞれに対して斜設されており、反射部５１ｂと透過部５１ａとを備えている。より具体的には、反射部５１ｂは、第１絞り３Ａ（又は第２絞り３Ｂ）を通過した走査光を反射して光スキャナ９に向かう光路ＯＰ４に入射させ、且つ、光路ＯＰ４から入射する戻り光のうち反射部５１ｂに投射された部分を第１光検出器１６Ａ（又は第２光検出器１６Ｂ）に向かう光路（検出光路ＯＰ５）と異なる方向に向けて反射する。更に、透過部５１ａは、被検眼Ｅからの戻り光のうち透過部５１ａに投射された部分を透過させて光第１光検出器１６Ａ（又は第２光検出器１６Ｂ）に向かう光路（検出光路ＯＰ５）に入射させる。
【００８７】
他の実施形態において、投射系の光路と検出系の光路とを合成する光路合成部材は、走査光を透過させ、且つ、戻り光を反射するよう構成されてよい。この場合、例えば、図６において符号５１ｂで示す領域が透過部として構成され、且つ、符号５１ａで示す領域が反射部として構成された光路合成部材を用いることが可能である。このような光学部材は、一般的な眼底カメラにおいて照明光学系と撮影光学系とを合成するために用いられる穴開きミラーとして知られている。
【００８８】
光路合成部材５１として穴開きミラーが用いられる場合、この穴開きミラーは、絞り部材（第１絞り３Ａ等）を通過した走査光のビームサイズよりも大きい透過部を備える。透過部は、絞り部材を通過した走査光を光スキャナ９に向かう光路ＯＰ４に入射させる。更に、穴開きミラーは、透過部の周囲に設けられた反射部を備える。反射部は、被検眼Ｅからの戻り光の一部を光検出器（第１光検出器１６Ａ等）に向かう光路（検出光路ＯＰ５）に入射させる。
【００８９】
換言すると、穴開きミラーの透過部は、絞り部材を通過した走査光が投射される領域（図７において符号Ｔ１で表す領域）を含み、且つ、この投射領域（Ｔ１）よりも大きい。
【００９０】
具体的には、穴開きミラーは、投射系の光路（走査光路ＯＰ３）及び検出系の光路（検出光路ＯＰ５）のそれぞれに対して斜設されており、透過部と反射部とを備えている。より具体的には、透過部は、絞り部材を通過した走査光を反射して光スキャナ９に向かう光路ＯＰ４に入射させ、且つ、被検眼Ｅからの戻り光のうち透過部に投射された部分を光検出器に向かう光路（検出光路ＯＰ５）と異なる方向に向けて透過させる。更に、反射部は、光路ＯＰ４から入射する戻り光のうち反射部に投射された部分を反射して光検出器に向かう光路（検出光路ＯＰ５）に入射させる。
【００９１】
被検眼Ｅの角膜に対して光学的に共役な位置（又はその近傍）に光路合成部材５１（又は穴開きミラー）を配置することができる。それにより、対物レンズ１１からの反射と並ぶ代表的なノイズ光である角膜からの反射を効果的に除去することができる。
【００９２】
光路合成部材５１（又は穴開きミラー）を経由して光路ＯＰ４に入射した走査光（平行光束）は、レンズ６により収束光となり、反射ミラー７により反射され、レンズ８により屈折され、光スキャナ９に導かれる。光スキャナ９により偏向された走査光は、リレーレンズ１０により屈折され、対物レンズ１１によって被検眼Ｅに結像される。アライメントが好適である場合、走査光は、例えば、眼底Ｅｆの表面に結像される。また、光路ＯＰ４の光軸に沿った方向に対物レンズ１１を移動することにより、投射系及び検出系のフォーカス調整（及び視度補正）を行うことができる。なお、フォーカス調整を行うための専用のレンズを設けることもできる。
【００９３】
走査光は、眼底Ｅｆにおいて反射、散乱される。被検眼Ｅから出射した光には、眼底Ｅｆの表面からの反射光だけでなく、眼底Ｅｆにおける散乱光、水晶体からの反射光、角膜表面からの反射光などが含まれる。被検眼Ｅから出射した光には、例えば、対物レンズ１１の後面（リレーレンズ１０側の面）で反射された走査光の一部が更に混入する。このような戻り光は、走査光とは逆向きに光路ＯＰ４を進行し、光路合成部材５１に導かれる。
【００９４】
光路合成部材５１に投射された戻り光の一部は、透過部５１ａを透過して検出光路ＯＰ５に入射する。このとき、光路ＯＰ４の光軸上及びその近傍領域に含まれるノイズ光（水晶体、角膜、対物レンズ１１等からの反射光など）は、反射部５１ｂに投射されるので、検出光路ＯＰ５に入射しない。つまり、戻り光に含まれるノイズ光（の少なくとも一部）が光路合成部材５１によって除去される。
【００９５】
検出光路ＯＰ５に入射した戻り光は、ダイクロイックミラー（又はハーフミラー等）１２に投射される。ダイクロイックミラー１２は、検出光路ＯＰ５を第１検出光路ＯＰ６と第２検出光路ＯＰ７とに分割する。第１走査光路ＯＰ１からの走査光で眼底Ｅｆを走査する場合、その戻り光はダイクロイックミラー１２を透過して第１検出光路ＯＰ６に入射する。他方、第２走査光路ＯＰ２からの走査光で眼底Ｅｆを走査する場合、その戻り光はダイクロイックミラー１２により反射されて第２検出光路ＯＰ７に入射する。
【００９６】
第１検出光路ＯＰ６に入射した戻り光は、第１集光レンズ１４Ａにより屈折されて、第１共焦点絞り１５Ａに投射される。アライメントが好適な状態において、第１共焦点絞り１５Ａは、眼底Ｅｆに対して光学的に共役な位置（又はその近傍）に配置される。第１共焦点絞り１５Ａは、戻り光に含まれるノイズ光（眼底散乱光等）の少なくとも一部を遮断し、眼底Ｅｆの表面からの反射光を選択的に通過させるように作用する。
【００９７】
第１共焦点絞り１５Ａを通過した戻り光は、第１光検出器１６Ａによって検出される。第１光検出器１６Ａは、例えば、アバランシェフォトダイオード又は光電子増倍管を含む。
【００９８】
一方、第２検出光路ＯＰ７に入射した戻り光は、第２集光レンズ１４Ｂにより屈折されて、第２共焦点絞り１５Ｂに投射される。アライメントが好適な状態において、第２共焦点絞り１５Ｂは、眼底Ｅｆに対して光学的に共役な位置（又はその近傍）に配置される。第２共焦点絞り１５Ｂは、戻り光に含まれるノイズ光（眼底散乱光等）の少なくとも一部を遮断し、眼底Ｅｆの表面からの反射光を選択的に通過させるように作用する。
【００９９】
第２共焦点絞り１５Ｂを通過した戻り光は、第２光検出器１６Ｂによって検出される。第２光検出器１６Ｂは、例えば、アバランシェフォトダイオード又は光電子増倍管を含む。
【０１００】
本例において、検出系は、対物レンズ１１と、リレーレンズ１０と、光スキャナ９と、レンズ８と、反射ミラー７と、レンズ６と、光路合成部材５１と、ダイクロイックミラー１２と、第１集光レンズ１４Ａと、第１共焦点絞り１５Ａと、第１光検出器１６Ａと、第２集光レンズ１４Ｂと、第２共焦点絞り１５Ｂと、第２光検出器１６Ｂとを含む。
【０１０１】
第１光検出器１６Ａ又は第２光検出器１６Ｂからの出力は画像形成部１１０に送られる。画像形成部１１０は、光学系を用いて収集されたデータに基づいて眼底Ｅｆの画像を形成する。データ処理部１２０は、画像形成部１１０により形成された画像に対して画像処理を施すことができる。また、データ処理部１２０は、画像形成部１１０により形成された画像に基づく解析処理を実行することができる。また、データ処理部１２０は、画像形成部１１０により形成された画像に基づく診断支援処理を実行することができる。
【０１０２】
実施形態に係る眼科撮影装置が奏する作用及び効果について、幾つかの例を説明する。
【０１０３】
このような実施形態によれば、被検眼に投射される走査光と、光検出器に導かれる検出光との間に間隔（余裕）を設けることができる。それにより、光軸上やその近傍を通過するノイズ光だけでなく、光軸から（比較的大きく）外れた位置を通過するノイズ光をも光路合成部材によって効果的に除去することができる。
【０１０４】
〈変形例〉
以上に示された第１及び第２の実施形態は、この発明を実施するための例に過ぎない。この発明を実施しようとする者は、この発明の要旨の範囲内において任意の変形、省略、追加等を施すことが可能である。
【０１０５】
例えば、上記の例示的な実施形態では、環形断面を有する第１の光は検出光であり、第２の光は走査光であるが、他の実施形態においては、環形断面を有する第１の光が走査光であり、第２の光が検出光であってよい。
【０１０６】
このような変形を第１実施形態に適用する場合、走査系の一部と検出系の一部との配置を入れ替えることができる。配置が入れ替えられる走査系の一部には、第１光源１Ａと、第１コリメートレンズ２Ａと、第２光源１Ｂと、第２コリメートレンズ２Ｂと、ダイクロイックミラー（又はハーフミラー等）４とが含まれる。また、配置が入れ替えられる検出系の一部には、ダイクロイックミラー１２と、第１集光レンズ１４Ａと、第１共焦点絞り１５Ａと、第１光検出器１６Ａと、第２集光レンズ１４Ｂと、第２共焦点絞り１５Ｂと、第２光検出器１６Ｂとが含まれる。
【０１０７】
また、このような変形を第２実施形態に適用する場合、配置が入れ替えられる走査系の一部には、第１光源１Ａと、第１コリメートレンズ２Ａと、第１絞り３Ａと、第２光源１Ｂと、第２コリメートレンズ２Ｂと、第２絞り３Ｂと、ダイクロイックミラー（又はハーフミラー等）４とが含まれる。また、配置が入れ替えられる検出系の一部には、ダイクロイックミラー１２と、第１集光レンズ１４Ａと、第１共焦点絞り１５Ａと、第１光検出器１６Ａと、第２集光レンズ１４Ｂと、第２共焦点絞り１５Ｂと、第２光検出器１６Ｂとが含まれる。
【符号の説明】
【０１０８】
１Ａ  第１光源
１Ｂ  第２光源
５  光路合成部材
５ａ  透過部
５ｂ  反射部
５ｃ  遮光部
９  光スキャナ
１１  対物レンズ
１６Ａ  第１光検出器
１６Ｂ  第２光検出器
５１  光路合成部材
５１ａ  透過部
５１ｂ  反射部
１１０  画像形成部
【図１】
2018082833.tif 000003
【図２】
2018082833.tif 000004
【図３】
2018082833.tif 000005
【図４】
2018082833.tif 000006
【図５】
2018082833.tif 000007
【図６】
2018082833.tif 000008
【図７】
2018082833.tif 000009